(57)【要約】【課題】スキミング防止対象以外の収納物を収納しても、当該収納物をその利便性を損なうことなく使用することができ、また、軽量で被服への収納携帯に適したカード収納可能なケースを提供する。【解決手段】各カード収納部５，５，…を構成する挟持部５ａ，５ａ，…にはそれぞれ、磁気を遮蔽する可撓性の磁気シールド層６，６，…が当該挟持部５ａ，５ａ，…の全面に設けてあり、カード収納部５，５，…に収納されたカードＫ，Ｋ，…から磁気情報がカード収納部５，５，…の外へ漏出しないようにしてある。【選択図】図２
2005198694.tif 000002
【特許請求の範囲】
【請求項１】
カード収納部を有するケースにおいて、
前記カード収納部に収納されるカードの所要部分を覆う磁気シールド層が一部に設けてあることを特徴とするケース。
【請求項２】
前記カード収納部はケース本体に設けてあり、このケース本体に前記磁気シールド層が設けてある請求項１記載のケース。
【請求項３】
前記ケース本体には前記カード収納部を覆う蓋部が開閉自在に設けてあり、この蓋部及びケース本体のカード収納部を挟んで前記蓋部に対峙する部分に、前記磁気シールド層が設けてある請求項２記載のケース。
【請求項４】
前記磁気シールド層は、縞状、網目状又は島状にしてある請求項１から３のいずれかに記載のケース。
【請求項５】
前記カード収納部に対して磁気シールド層より外側に、磁気情報を記録可能な磁気記録層が形成してある請求項１から４のいずれかに記載のケース。
【発明の詳細な説明】
【技術分野】
【０００１】
本発明は、クレジットカード又はキャッシュカード等、磁気情報が記録してあるカードを収納するカード収納部を備え、収納したカードの磁気情報の非接触スキミングを防止するカード入れ又は財布等のケースに関する。
【背景技術】
【０００２】
クレジットカード又はキャッシュカード等、口座番号及び名義人氏名等の磁気情報が磁気ストライプに記録してあるカードでは、所謂スキミングと呼ばれる犯罪が急増している。即ち、ユーザから前記磁気情報が記録してあるカードを一時的に預り、スキマと呼ばれる読み取り器によって、前記カードに記録してある磁気情報を不正に読み取り、読み取った情報を未記録の生カードにコピーして偽造カードを得、この偽造カードを不正に使用するのである。このようなスキマにあっては、読み取りヘッドを中途位置に設けた溝内をカードを通過させる接触型とは別に、非接触型のものが開発されている虞がある。そうなると、ユーザがカードを携帯している間であっても、その状態で、カードに記録してある磁気情報が不正に読み取られる虞がある。
【０００３】
かかる非接触型スキマを用いたスキミングを防止するには、カードを携帯する場合、磁気シールドされたケース内にカードを収納することが考えられるが、そのようなケースとして後述する特許文献１には次のようなものが開示されている。即ち、ケースは、アルミニウム又はアルミニウム合金を用いてなる矩形状の表面プレート及び裏面プレートを対向配置し、両プレートの三辺を互いに接合することによって形成してあり、両プレートの接合していない一辺開口から両プレート間の収納部内へカードを挿入するようにしてある。
【０００４】
【特許文献１】特開２００３−３００５７９号公報
【発明の開示】
【発明が解決しようとする課題】
【０００５】
しかしながら、このような従来のケースにあっては、金属製の表面プレート及び裏面プレートで構成してあるため、スキミング防止対象たるカード以外の他の収納物、例えば非接触型の定期券等を前記カードと共に収納した場合、当該定期券を使用する際、その都度ケースから定期券を取り出さなければならず、非接触型の定期券の利点が損なわれる。また、両プレートの質量が大きいため、衣服への収納携帯に不具合が生じるという問題があった。
【０００６】
本発明は、かかる事情に鑑みてなされたものであって、スキミング防止対象以外の収納物を収納しても、当該収納物をその利便性を損なうことなく使用することができ、また、軽量で衣服への収納携帯に適したカード収納可能なケースを提供する。
【課題を解決するための手段】
【０００７】
請求項１記載の本発明は、カード収納部を有するケースにおいて、前記カード収納部に収納されるカードの所要部分を覆う磁気シールド層が一部に設けてあることを特徴とする。
【０００８】
請求項２記載の本発明は、前記カード収納部はケース本体に設けてあり、このケース本体に前記磁気シールド層が設けてあることを特徴とする。
【０００９】
請求項３記載の本発明は、前記ケース本体には前記カード収納部を覆う蓋部が開閉自在に設けてあり、この蓋部及びケース本体のカード収納部を挟んで前記蓋部に対峙する部分に、前記磁気シールド層が設けてあることを特徴とする。
【００１０】
請求項４記載の本発明は、前記磁気シールド層は、縞状、網目状又は島状にしてあることを特徴とする。
【００１１】
請求項５記載の本発明は、前記カード収納部に対して磁気シールド層より外側に、磁気情報を記録可能な磁気記録層が形成してあることを特徴とする。
【発明の効果】
【００１２】
請求項１記載の本発明では、カード収納部を有するケースにおいて、カード収納部に収納されるカードの所要部分を覆う磁気シールド層が一部に設けてあるため、カード収納部内にカードを収納するに際し、例えばカードに設けてある磁気ストライプが磁気シールド層に対向するようにした場合、この磁気シールド層によってカードの磁気ストライプに記録された情報に係る磁気が、磁気シールド層の外へ漏出することが防止され、非接触スキミングを回避することができる。一方、例えば非接触型の定期券を利用する場合、定期券と読み取り器との間に前記磁気シールド層が介装しないように定期券を別途このケース内に収納することができるため、ケースから取り出すことなく読み取り器に情報を読み取らせることができ、カード以外の他の収納物の利点が損なわれない。また、ケースの磁気シールド層は金属の箔等によって軽量に形成することができ、ケースの軽量化が図れる。
【００１３】
また、ケースの一部に前記磁気シールド層が設けてあるため、カード収納部に収納したカードの出し入れに影響を与えず、カードの出し入れをスムーズに行うことができる。同様に、カード以外の他の収納物を収納可能にしてあるケースにあっても、ケースの一部に前記磁気シールド層が設けてあるため、他の収納物の出し入れに影響を与えず、他の収納物の出し入れをスムーズに行うことができる。
【００１４】
請求項２記載の本発明では、カード収納部はケース本体に設けてあり、このケース本体に前記磁気シールド層が設けてあるため、前同様、カード収納部に収納したカードの非接触スキミングを回避することができる。また、カード収納部又はケース本体の適宜部分に、例えば非接触型の定期券を収納しても、ケースから取り出すことなく読み取り器に情報を読み取らせることができ、カード以外の他の収納物の利点が損なわれない。
【００１５】
請求項３記載の本発明では、前記ケース本体には前記カード収納部を覆う蓋部が開閉自在に設けてあり、この蓋部及びケース本体のカード収納部を挟んで前記蓋部に対峙する部分に、前記磁気シールド層が設けてあるため、カードの両面が磁気シールド層によって被覆され、カード収納部へのカードの収納向き、及び衣服へのケースの収納向きに拘わらず、非接触スキミングを回避することができる。
【００１６】
請求項４記載の本発明では、磁気シールド層は、縞状、網目状又は島状にしてあるため、磁気シールド層の更なる軽量化が図られ、ケースの重さの増加を可及的に抑制することができる。また、磁気シールドに要する材料コストを低減させることができ、ケースの製造コストの増加が可及的に抑制される。
【００１７】
請求項５記載の本発明では、カード収納部に対して磁気シールド層より外側に、磁気情報を記録可能な磁気記録層が形成してあるため、この磁気記録層に予め適宜の磁気情報を記録させておくことによって、非接触スキミングに対するダミーにすることができる。更に、かかる磁気情報として、警備・警察関係に予め登録したダミー情報を記録させておくことによって、スキミングした磁気情報の使用者を短時間で特定することができる。一方、磁気記録層は、カード収納部に対して磁気シールド層より外側に形成されているため、磁気記録層の磁気は磁気シールド層によって遮蔽され、カード収納部に収納されたカードに影響を及ぼさない。
【発明を実施するための最良の形態】
【００１８】
本発明は、カード収納部を有するケースにおいて、その一部に、前記カード収納部に収納されるカードの所要部分を覆う磁気シールド層が設けてある。この磁気シールド層は、磁気を遮蔽する銅、アルミニウム、ニッケル等、及びそれらを含む合金等の金属の箔、前記金属粉をフィルムで挟持してなる薄シート、前記金属を混練した樹脂製シート、前記金属単糸を含む撚糸を用いた布状材等によって構成することができる。この磁気シールド層は、カード収納部の全面、即ちカード収納部のカードの両面に対向する部分に設けるのが好適であるが、カード収納部のカードの一面に対向する部分にのみ設けてもよく、カード収納部のカードの両面に対向する部分又はカード収納部のカードの一面に対向する部分であって、カードの磁気ストライプに対向可能な個所にのみ設けてもよい。
【００１９】
また、カード収納部がケース本体に設けてあるケースにあっては、ケース本体の前記カード収納部に収納されるカードの所要部分を覆う部分に、磁気シールド層を設けてもよい。
【００２０】
このケース本体を例えば２つ折り可能にして、カード収納部を覆う蓋部が設けてある場合、この蓋部、及びケース本体のカード収納部を挟んで前記蓋部に対峙する部分に、磁気シールド層を設ける。これによって、ケースが衣服内に収納されている場合、ケースのカード収納部に収納されたカードの両面が、蓋部に設けた磁気シールド層及びケース本体のカード収納部を挟んで蓋部に対峙する部分に設けたシールド層で被覆される。
【００２１】
一方、磁気シールド層は、縞状、網目状又は島状にしてあり、磁気シールド層の材料の減量化及びケースの更なる軽量化が図られている。
【００２２】
ところで、本実施の形態では、カード収納部に対して磁気シールド層より外側に、磁気情報を記録可能な磁気記録層が形成してある。かかる磁気記録層は、磁気シールド層以下の大きさであり、カードの磁気ストライプと同様のストライプ状にしてもよい。この磁気記録層にダミー情報を予め記録させておく。
【００２３】
以下、本発明に係る実施例を図面に基いて詳述する。
【実施例１】
【００２４】
図１は、本発明に係るケースたる財布を示す外観斜視図であり、図中、１は２つ折り可能な本体である。本体（ケース本体）１は、長方形状の基材の一端を適宜幅で折曲させ、対向部分の両側端を倒立三角形状の妻部１ａ（１ａ）（図２参照）で閉止してなり、紙幣を収納する紙幣収納部４を設けてなる基部２と、前記基材の他端側を前記基部２の前部を覆うように屈曲させてなる蓋部３とを備えている。なお、基部２の紙幣収納部４内には、上部開口をファスナで開閉自在に塞止してなる袋状のコイン収納部を設けてもよい。
【００２５】
また、紙幣収納部４の前部には、複数の挟持部５ａ，５ａ，…を階段状に配置し、その両端及び中央部並びに底部をカードの寸法に応じて縫合してなる複数段のカード収納部５，５，…が設けてあり、各カード収納部５，５，…に、磁気ストライプに磁気情報が記録されたカードＫ，Ｋ，…がそれぞれ横向きに、カードＫ，Ｋ，…の一長辺側縁部を前部側の挟持部５ａ，５ａ，…から突出させる様態で収納されるようになっている。
【００２６】
図２は、図１に示した財布の側断面図である。なお、図中、図１に示した部分に対応する部分には同じ番号が付してある。図２に示した如く、各カード収納部５，５，…を構成する挟持部５ａ，５ａ，…にはそれぞれ、磁気を遮蔽する可撓性の磁気シールド層６，６，…が当該挟持部５ａ，５ａ，…の全面に設けてあり、カード収納部５，５，…に収納されたカードＫ，Ｋ，…から磁気情報がカード収納部５，５，…の外へ漏出しないようにしてある。これによって、カード収納部５に前記カードＫを収納してある財布をユーザが衣服内に携帯した場合、カードＫの磁気情報が衣服の上から非接触でスキミングされることを防止することができる。
【００２７】
更に、上段のカード収納部５，５を構成する後部側の挟持部５ａの全面にも、磁気を遮蔽する可撓性の磁気シールド層６が設けてあり、カード収納部５に収納されたカードＫから磁気情報がカード収納部５の後部側から外へ漏出しないようにしてある。これによって、上段のカード収納部５，５内にカードＫを、カードＫの磁気情報が記録してある磁気ストライプの部分が隠れるように収納することによって、カードＫの磁気ストライプが磁気シールド層６，６で挟持されるため、ユーザが衣服内に財布をどのように携帯した場合であっても、カードＫの磁気情報が衣服の上から非接触でスキミングされることが防止される。
【００２８】
また、前述した如く磁気シールド層６，６，…は可撓性を有するため、本体１及び挟持部５，５，…に磁気シールド層６，６，…を配設した場合であっても、磁気シールド層６，６，…を配設していない従来の財布に比べてその軟らかさの程度は同等であり、ユーザに違和感を与えることなく、本発明に係る財布を衣服へ収納して携帯することができる。一方、磁気シールド層６，６，…は、紙幣収納部４に収納された紙幣の出し入れに影響を与えることはなく、紙幣の出し入れをスムーズに行うことができる。
【００２９】
本実施例では、カード収納部５，５，…を構成する挟持部５ａ，５ａ，…にそれぞれ、磁気シールド層６，６，…が設けてある場合について示したが、本発明はこれに限らず、上段のカード収納部５，５の後部側の挟持部５ａを全てのカード収納部５，５，…を覆うようにしておき、当該挟持部５ａに、収納されるカードＫの磁気ストライプを覆うように可撓性の磁気シールド層が設けてあればよい。これによって、カード収納部５，５，…へのカードＫの収納及び財布の携帯向きをユーザが調整することによって、前同様、カードＫの磁気情報が衣服の上から非接触でスキミングされることを防止することができる一方、衣服へ収納して携帯した場合であっても、ユーザに違和感を与えることはない。
【００３０】
また、本実施例では、カード収納部５，５，…を構成する挟持部５ａ，５ａ，…に磁気シールド層６，６，…が設けてある場合について示したが、本発明はこれに限らず、挟持部５ａ，５ａ，…に代えて、図２に示した如く、蓋部３に可撓性の磁気シールド層６を設けてもよい。これによって、財布の携帯向きをユーザが、磁気シールド層６が外側でカード収納部５に収納されたカードＫが内側になるように調整することによって、カードＫの磁気情報が衣服の上から非接触でスキミングされることが防止される。
【００３１】
なお、本実施例では、ケースとして財布に適用した場合について示したが、本発明はこれに限らず、本体１にカード収納部５，５，…を設けたカード入れにも適用し得ることはいうまでもない。
【００３２】
図３及び図４は、図２に示した磁気シールド層６の一例を示す正面図である。図３に示した如く、磁気シールド層６は、磁気遮蔽能を有する金属製の箔、磁気遮蔽能を有する金属粉を樹脂フィルムで挟持した薄シートに複数の孔６ａ，６ａ，…を開設して網目状にしてあり、これによって、所要の磁気遮蔽能を維持しつつ磁気シールド層６の更なる軽量化が図られている。
【００３３】
一方、図４に示した如く、磁気シールド層６は、磁気遮蔽能を有する金属単糸を用いて撚った可撓性の磁気シールド用糸６ｂ，６ｂ，…を縦糸及び横糸に用いて適宜の間隙を形成しつつ織ることによって、網状部材とすることもできる。これによって、前同様、所要の磁気遮蔽能を維持しつつ磁気シールド層６の更なる軽量化を図ることができる。
【００３４】
なお、図４にあっては、磁気シールド用糸６ｂ，６ｂ，…を網状部材になした場合について示したが、本発明はこれに限らず、磁気シールド用糸６ｂ，６ｂ，…を、縦糸及び横糸として適宜の間隔で挿入した布状部材とすることもできる。また、磁気シールド用糸６ｂ，６ｂ，…を縦糸又は横糸として縞状に配置して磁気シールド層６を形成してもよい。
【００３５】
なお、本発明にあっては、フィルム表面に磁気遮蔽能を有する金属製の箔を、島状に配した材料を用いて、磁気シールド層６を形成してもよい。一方、磁気遮蔽能を有する金属の箔、磁気遮蔽能を有する金属粉を樹脂フィルムで挟持した薄シートを用いて磁気シールド層６を形成してもよいことはいうまでもない。
【００３６】
以上より、本実施例に係る発明は、カード収納部（カード収納部５，５，…）を有するケースにおいて、前記カード収納部は表面部（挟持部５ａ，５ａ，…）及び裏面部（挟持部５ａ，５ａ，…）を対向配置することによってポケット状にしてあり、表面部及び裏面部に磁気シールド層（磁気シールド層６，６，…）が設けてあることを特徴とするケースであるということもできる。
【００３７】
更には、本実施例に係る発明は、カード収納部（カード収納部５，５，…）を有するケースにおいて、前記カード収納部に収納されるカード（カードＫ）の両面を被覆可能に磁気シールド層（磁気シールド層６，６，…）が設けてあることを特徴とするケースであるということもできる。
【００３８】
これによって、上段のカード収納部５，５内にカードＫを、カードＫの磁気情報が記録してある磁気ストライプの部分が隠れるように収納することによって、カードＫの磁気ストライプが磁気シールド層６，６で挟持されるため、ユーザが衣服内に財布をどのように携帯した場合であっても、カードＫの磁気情報が衣服の上から非接触でスキミングされることが防止される。
【００３９】
また、カード収納部５，５，…を構成する挟持部５ａ，５ａ，…に磁気シールド層６，６，…を設けるのに加えて、図２に示した如く、更に、蓋部３にも可撓性の磁気シールド層６を設けた場合、カードＫのカード収納部５から突出した部分が蓋部３に設けた磁気シールド層６によって被覆されるため、カード収納部５，５，…にカードＫをどのような向きで収納しても、そして、ユーザが衣服内に財布をどのように携帯した場合であっても、カードＫの磁気情報が衣服の上から非接触でスキミングされることが防止される。
【実施例２】
【００４０】
図５及び図６は、実施例２に係るケースを示す正面斜視図、及び裏面斜視図、図７は、図６に示したケースのＶＩＩ−ＶＩＩ線による断面図であり、定期入れに適用してある。図６から図７に示した如く、長方形状の本体（ケース本体）１の一面に矩形状の枠部７を、当該枠部７の一短辺側縁部を除く他の縁部を縫合することによって固定して、内部に定期券Ｔを収納する定期券収納部９が設けてあり、前記枠部７内には、透明シート８が嵌合固定してある。
【００４１】
一方、本体１の他面には、本体１との間にカードを挟持する複数の挟持部５ａ，５ａ，…を階段状に縫合して複数段のポケット状のカード収納部５，５，…が設けてあり、各カード収納部５，５，…に、磁気ストライプに磁気情報が記録されたカードＫ，Ｋ，…がそれぞれ縦向きに、カードＫ，Ｋ，…の一短辺側縁部を挟持部５ａ，５ａ，…から突出させる様態で収納されるようになっている。この挟持部５ａ，５ａ，…及び本体１にはそれぞれ、磁気を遮蔽する磁気シールド層６，６，…が当該挟持部５ａ，５ａ，…及び本体１の全面に設けてあり、カード収納部５，５，…に収納されたカードＫ，Ｋ，…から磁気情報がカード収納部５，５，…の外へ漏出しないようにしてある。
【００４２】
これによって、カード収納部５に前記カードＫが収納してある定期入れをユーザが衣服内に携帯した場合であっても、カードＫの磁気情報が衣服の上から非接触でスキミングされることを防止することができる。一方、定期券収納部９に非接触型の定期券Ｔを収納した場合、その状態で、定期券収納部９側をゲートに配設した非接触型読み取り器にかざすことによって、当該ゲートを通過することができる。このとき、磁気シールド層６，６，…は、定期券Ｔと非接触型読み取り器との間の送受信に影響を及ぼさない。
【００４３】
なお、本実施例では、挟持部５ａ，５ａ，…及び本体１に磁気シールド層６，６，…を設けた場合について示したが、本発明はこれに限らず、挟持部５ａ，５ａ，…及び本体１の一方に磁気シールド層６，６，…を設けておけばよい。
【００４４】
なお、本実施例では、定期入れに適用した場合について示したが、本発明はこれに限らず、本体１の一面又は両面にカード収納部５，５，…を設けたカード入れにも適用し得ることはいうまでもない。
【００４５】
以上より、本実施例に係る発明は、磁気情報を記録可能な磁気記録層が設けてある第１カード（カードＫ）を収納する第１収納部（カード収納部５，５，…）、及び電子情報を非接触で読み出し可能にした第２カード（定期券Ｔ）を収納する第２収納部（定期券収納部９）を備え、第２収納部に収納した状態で第２カードの電子情報を非接触で読み出すようにしたケースにおいて、前記第１収納部は表面部（挟持部５ａ，５ａ，…）及び裏面部（挟持部５ａ，５ａ，…）を対向配置することによってポケット状にしてあり、少なくとも表面部に磁気シールド層（磁気シールド層６，６，…）が設けてあることを特徴とするケースであるということもできる。
【００４６】
これによって、第１収納部に第１カードが収納してあるケースをユーザが衣服内に携帯した場合であっても、第１収納部は表面部を第１カードより外側になるように携帯することによって、第１カードの磁気情報が衣服の上から非接触でスキミングされることを防止することができる。一方、第２収納部に、第２カードを収納した場合、その状態で、第２収納部側をゲートに配設した非接触型読み取り器にかざすことによって、当該ゲートを通過することができる。
【実施例３】
【００４７】
図８は、実施例３に係るケースを示す部分破断斜視図であり、財布に適用してある。なお、図中、図１及び図２に示した部分に対応する部分には同じ番号を付してその説明を省略する。図８に示した如く、本体１（基部２及び／又は蓋部３）に設けた磁気シールド層６の外側には、樹脂製フィルムに磁性材を固着してなり、任意の磁気情報を記録し得る磁気ストライプ（磁気記録層）１０が配設してある。
【００４８】
かかる財布にあっては、前同様、ユーザが衣服内に携帯した場合であっても、カードＫの磁気情報が衣服の上から非接触でスキミングされることが防止される一方、ユーザに違和感を与えることがない。
【００４９】
更に、磁気シールド層６の収納部５，５，…に対向する面とは反対側の面に磁気ストライプ１０が形成してあるため、この磁気ストライプ１０に予め適宜の磁気情報を記録させておくことによって、非接触スキミングに対するダミーにすることができる。特に、かかる磁気情報として、警備・警察関係に予め登録したダミー情報を記録させておくことによって、スキミングした情報の使用者を短時間で特定することができる。
【００５０】
なお、磁気ストライプ１０に記録させる磁気情報としては、ダミー情報以外に、例えば血液型、連絡先というように、利用可能な情報であって、非接触スキミングされてもユーザに被害を及ぼさないものを記録させておいてもよい。これによって、ケースを磁気情報の担体として利用することができる。
【００５１】
一方、磁気ストライプ１０は、磁気シールド層６のカード収納部５，５，…に対向する面とは反対側に形成されているため、磁気ストライプ１０の磁気は磁気シールド層６によって遮蔽され、収納部５，５，…内に収納されたカードＫ，Ｋ，…に影響を及ぼさない。
【図面の簡単な説明】
【００５２】
【図１】本発明に係るケースたる財布を示す外観斜視図である。
【図２】図１に示した財布の側断面図である。
【図３】図２に示した磁気シールド層の一例を示す正面図である。
【図４】図２に示した磁気シールド層の一例を示す正面図である。
【図５】実施例２に係るケースを示す正面斜視図である。
【図６】実施例２に係るケースを示す裏面斜視図である。
【図７】図６に示したケースのＶＩＩ−ＶＩＩ線による断面図である。
【図８】実施例３に係るケースを示す部分破断斜視図である。
【符号の説明】
【００５３】
１    本体（ケース本体）
２    基部
３    蓋部
４    紙幣収納部
５    カード収納部
５ａ  挟持部
６    磁気シールド層
６ａ  孔
６ｂ  磁気シールド用糸
７    枠部
８    透明シート
９    定期券収納部
１０    磁気ストライプ
Ｋ    カード
Ｔ    定期券
【図１】
2005198694.tif 000003
【図２】
2005198694.tif 000004
【図３】
2005198694.tif 000005
【図４】
2005198694.tif 000006
【図５】
2005198694.tif 000007
【図６】
2005198694.tif 000008
【図７】
2005198694.tif 000009
【図８】
2005198694.tif 000010